(57)【要約】【課題】透過照明することで、クリスタル状に輝く発光部を、専用部品を用いないで形成することのできる車両用計器１を提供する。【解決手段】指標部１０を有する表示板３の裏面に配置され、表示板３を透過照明する光源８と、メータケース１５およびメータフード部１５ａに支持されて表示板３を覆うメータ透明カバー２を有する。メータ透明カバー２には、表示板３の指標部１０を覆う第１凸部２ａ、第１凸部２ａに隣接して指標部１０の外周側に沿って延在する凹部２ｂ、第１凸部２ａとの間に凹部２ｂを形成する第２凸部２ｃを有する。凹部２ｂの裏面に、光源８からの光を反射する複数の反射用傾斜面を持つ凹凸部（ダイヤカット部等）２０を有する。光源８からの光が凹凸部２０の複数の反射用傾斜面２０ａに反射して輝く発光部をメータ透明カバー２と一体に形成することができる。【選択図】図２
2012198129.tif 000002
【特許請求の範囲】
【請求項１】
メータケースと、
前記メータケース内に保持され表示部を有する表示板と、
前記表示板の裏面に配置された光源と、
前記メータケースに支持されて前記表示板を覆うメータ透明カバーと、を備え、
前記メータ透明カバーは、
前記表示板の前記表示部を覆う第１凸部と、
前記第１凸部に隣接して延在する凹部と、
前記第１凸部との間に前記凹部を形成する第２凸部と、
前記凹部の裏面に設けられ、前記光源からの光を反射する複数の反射用傾斜面を形成する凹凸部と、を有することを特徴とする車両用計器。
【請求項２】
前記表示部は、指標部がアーチ形に並んでおり、
前記メータ透明カバーの前記凹部は、前記表示部の外周側に沿ってアーチ形に形成されていることを特徴とする請求項１に記載の車両用計器。
【請求項３】
前記複数の前記反射用傾斜面を形成する前記凹凸部は、凸側が前記表示板に接して形成されていることを特徴とする請求項１または２に記載の車両用計器。
【請求項４】
前記凹凸部は、前記表示板の平面方向のうち直交する２方向から見た凸側の断面の形状が、三角形であることを特徴とする請求項１ないし３のいずれか一項に記載の車両用計器。
【請求項５】
前記第１凸部に、前記凹凸部に隣接する傾斜部分を有し、該傾斜部分と前記表示板との間の角度が１５度から４５度の範囲に設定されていることを特徴とする請求項１ないし４のいずれか一項に記載の車両用計器。
【発明の詳細な説明】
【技術分野】
【０００１】
本発明は、凹凸部からなる発光部を有する車両用計器に関し、特には、透過照明により発光するダイヤカット部とメータ透明カバーとの一体化構造を有する車両用計器に関するものである。
【背景技術】
【０００２】
従来、特許文献１に記載のメータ透明カバーを利用した警告表示レンズが知られている。この技術は、車両用計器の運転者側（表側）を覆うメータ透明カバーの一部に警告灯のレンズ部を形成する凸面部を一体形成したものである。凸面部は緩やかに湾曲したメータ透明カバーの一部を運転者側に凸状に曲げて形成されている。
【０００３】
また、従来、特許文献２として、断面形状が３角形状の凹凸部からなるダイヤカット部を有する表示装置が知られている。具体的には、リング状の板状部材からなり、光透過性を有するとともに、裏面にダイヤカット部が形成された発光部を有している。
【先行技術文献】
【特許文献】
【０００４】
【特許文献１】実願昭５０−１７１２１５号（実開昭５２−８４８４２号）のマイクロフイルム
【特許文献２】特開２００９−１７５０９８号公報
【発明の概要】
【発明が解決しようとする課題】
【０００５】
上記特許文献１の技術によると、メータ透明カバーの表面を凸状に曲げ加工してレンズ部を形成する考え方はあるが、ダイヤカット部についてはなんら示唆も無い。特許文献２には、ダイヤカット部に関する記述があり、車両用計器に、この種のダイヤカット部を設けて透過照明することで、クリスタル状に輝く発光部が得られる。
【０００６】
この特許文献２の考え方に基づいて、本発明の開発過程にて案出された開発品を図６に示して説明する。図６は、本発明の開発過程において案出された車両用計器の断面拡大図である。この図６は、援用する図１の矢印Ｚ２−Ｚ２線に沿う方向から見た断面を拡大して図示している。
【０００７】
図６において、２はメータ透明カバー、３０は発光部であり、円弧状の透明板の裏面に、この裏面の平面上において略直交する２方向から見た断面形状が、複数の連続した三角形である凹凸部２０が形成されている。この凹凸部２０によってダイヤカット部を有する発光部が形成されている。３は表示板、８は表示板３の背面に設けられた発光ダイオード（ＬＥＤ）等から成る光源である。
【０００８】
しかし、この開発品および特許文献２では、ダイヤカット部を有する発光部を形成するために、円弧状の透明板からなる専用部品が必要であり、コストアップするという問題があった。
【０００９】
本発明は、このような従来の技術に存在する問題点に着目して成されたものであり、その目的は、透過照明することで、クリスタル状に輝く発光部を、専用部品を用いないで形成することのできる車両用計器を提供することにある。
【００１０】
従来技術として列挙された特許文献の記載内容は、この明細書に記載された技術的要素の説明として、参照によって導入ないし援用することができる。
【課題を解決するための手段】
【００１１】
本発明は上記目的を達成するために、下記の技術的手段を採用する。すなわち、請求項１に記載の発明では、メータケースと、メータケース内に保持され表示部を有する表示板と、表示板の裏面に配置された光源と、メータケースに支持されて表示板を覆うメータ透明カバーと、を備え、メータ透明カバーは、表示板の表示部を覆う第１凸部と、第１凸部に隣接して延在する凹部と、第１凸部との間に凹部を形成する第２凸部と、凹部の裏面に設けられ、光源からの光を反射する複数の反射用傾斜面を形成する凹凸部と、を有することを特徴としている。
【００１２】
この発明によれば、メータ透明カバーの第１凸部と第２凸部の間に凹部を有し、この凹部の裏面に光源からの光を反射する複数の反射用傾斜面を持つ凹凸部を有するから、光源からの光が凹凸部の複数の反射用傾斜面に反射して輝く発光部をメータ透明カバーと一体に形成することができ、部品点数を削減することができる。
【００１３】
請求項２に記載の発明では、表示部は、指標部がアーチ形に並んでおり、メータ透明カバーの凹部は、表示部の外周側に沿ってアーチ形に形成されていることを特徴としている。
【００１４】
この発明によれば、表示部は指標部がアーチ形に並んでおり、メータ透明カバーの凹部も表示部に沿ってアーチ形に形成されているから、指標部の外周側に沿ってアーチ状に凹部が発光するから、表示部を読み取るときの指標部の位置が分かりやすく美感を向上させることができる。
【００１５】
請求項３に記載の発明では、複数の反射用傾斜面を形成する凹凸部は、凸側が表示板に接して形成されていることを特徴としている。
【００１６】
この発明によれば、表示板を透過した光源からの光を、凹凸部の反射用傾斜面で反射させ、表示板上で強く発光させることができる。
【００１７】
請求項４に記載の発明では、凹凸部は、表示板の平面方向のうち直交する２方向から見た凸側の断面の形状が、三角形であることを特徴としている。
【００１８】
この発明によれば、凹凸部は、複数の三角形の突起を持つ形状であるから、傾斜方向が異なる複数の反射用傾斜面によって光源からの光を反射することができ、輝きのある発光部を得ることができる。
【００１９】
請求項５に記載の発明では、第１凸部に、凹凸部に隣接する傾斜部分を有し、該傾斜部分と表示板との間の角度が１５度から４５度の範囲に設定されていることを特徴としている。
【００２０】
この発明によれば、メータ透明カバーの傾斜部分と表示板との間の角度が１５度から４５度の範囲に設定されているから、メータ透明カバーの傾斜部分を介して表示板上の指標部を視認しやすくすることができる。
【図面の簡単な説明】
【００２１】
【図１】本発明の第１実施形態となる車両用計器の正面図である。
【図２】図１の矢印Ｚ２−Ｚ２線に沿う方向から見た車両用計器上部の断面拡大図である。
【図３】図２の凹凸部２０を拡大して示す模式図である。
【図４】図３の矢印Ｙ３方向から見たダイヤカット部からなる凹凸部の一部拡大図である。
【図５】本発明の第２実施形態を示す図１の矢印Ｚ２−Ｚ２線に相当する方向から見た車両用計器上部の断面拡大図である。
【図６】本発明の開発過程において案出された車両用計器の断面拡大図である。
【発明を実施するための形態】
【００２２】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。
【００２３】
各実施形態で具体的に組合せが可能であることを明示している部分同士の組合せばかりではなく、特に組合せに支障が生じなければ、明示していなくても実施形態同士を部分的に組合せることも可能である。
【００２４】
（第１実施形態）
以下、本発明の第１実施形態について図１ないし図４を用いて詳細に説明する。図１は、本発明の第１実施形態となる車両用計器の正面図である。図２は、図１の矢印Ｚ２−Ｚ２線に沿う方向から見た車両用計器上部の断面拡大図である。
【００２５】
図１において、農機具用の車両に用いられる車両用計器１は、メータ透明カバー２の奥に表示板３が設けられている。この表示板３は、車両使用中において実質的に水平方向に延在して取り付けられる。
【００２６】
表示板３には、速度計４の指標部、燃料計５の指標部、回転計６の指標部等が印刷されている。この実施形態では、要部が、中央の速度計４に存在するので、以下、主として、速度計４について述べる。
【００２７】
表示板３を貫通している図示しない指針軸には指針７が取り付けられている。指針７は表示板３の裏面の図示しないステップモータ等からなる指針駆動部（ムーブメントまたは内機とも呼ばれる）によって駆動される。
【００２８】
表示板３は、透光性を有する合成樹脂（ポリカーボネイト等）からなり、表示板３の裏面に配置された光源８（図２）により透過照明される。光源８は、発光ダイオード（ＬＥＤ）からなり、表示板３と平行に配置された回路基板９上に取り付けられている。図１のように、表示板３の表面には、目盛と数字からなる指標部１０がアーチ形に印刷されている。
【００２９】
車両用計器１の骨格部分を形成するメータケース１５（図２）は、表示板３の外周にメータフード部１５ａを有する。このメータフード部１５ａは、メータケース１５と連続して一体成型された部材であってもよいし、別部品で形成されて、メータケース１５に固定されているものでもよい（この実施形態では別部品である）。
【００３０】
表示板３の裏面は、メータケース１５の表示板保持部１５ｂに接している。また、メータケース１５と一体に遮光壁部１５ｃが形成されている。遮光壁部１５ｃは、指標部１０に沿ってアーチ形に延在している。遮光壁部１５ｃの開口部の中央に光源８が位置している。一対の相対向する遮光壁部１５ｃは、アーチ状に延在している。
【００３１】
表示板３の外周部（図２上端）は、メータフード部１５ａから延在している突起状の押さえ部１５ａ１と、メータケース１５の表示板保持部１５ｂとに把持されている。メータ透明カバー２は、メータケース１５と一体のメータフード部１５ａに支持されて表示板３の表側（図２左側）を覆っている。メータ透明カバー２はメータフード部１５ａと図示しない爪嵌合により結合されている。
【００３２】
メータ透明カバー２は、表示板３の指標部１０を覆う第１凸部２ａと、この第１凸部２ａに隣接して指標部１０に沿ってアーチ状に延在する凹部２ｂを有する。また、第１凸部２ａとの間に凹部２ｂを形成する第２凸部２ｃを有する。つまり、凹部２ｂは、第１凸部２ａと第２凸部２ｃとの間に挟まれている。
【００３３】
第２凸部２ａは、メータフード部１５ａから延在している突起状の押さえ部１５ａ１を覆っている。また、第１凸部２ａは、表示板３の指標部１０が運転者から視認できるように、表示板３を覆っている。
【００３４】
凹部２ｂの裏面に光源８からの光を反射する複数の後述する反射用傾斜面を持つ凹凸部２０からなる発光部を有する。メータ透明カバー２の凹部２ｂは、指標部１０の外周側に沿ってアーチ形に形成されている。
【００３５】
凹凸部２０は、表示板３の平面方向の交差する２方向から見た断面の形状が、後述するように、複数の三角形の突起を持つ形状である。凹凸部２０は、凹部２ｂの表示板３と接する側の表面に形成されたダイヤカット部として形成されている。
【００３６】
図３は、図２の凹凸部２０を拡大して示す模式図である。この図３に示すように、表示板３の表側の表面に隣接してダイヤカット部からなる凹凸部２０が、アクリル樹脂の射出成型により形成されている。図３において、光源８からの矢印Ｙ３にて示す光は表示板３を透過して凹凸部２０の表面で反射する。
【００３７】
図４は、図３の矢印Ｙ３方向から見たダイヤカット部からなる凹凸部２０の一部拡大図である。ダイヤカット部からなる凹凸部２０は、図３および図４のように、三角形の連続した複数の山形の断面形状を有する。この断面形状は、ダイヤカット部の表示平面において直交する図４の矢印Ｙ４１、Ｙ４２の２方向から見た断面形状が、いずれも三角形の連続した複数の山形となっている。
【００３８】
図３のように、凹凸部２０は、複数の反射用傾斜面２０ａを持ち、反射用傾斜面２０ａの先端に位置する突起先端２０ｂが表示板３に接している。よって、表示板３の表面と谷部２ｂの間には微小な隙間２０ｃを有する。この隙間２０ｃの幅は、三角形の連続した複数の山形の山の高さに相当し、この山の高さは０．１ｍｍから１ｍｍの範囲内である０．５ｍｍに設定されている。
【００３９】
次に、上記構成からなる第１実施形態の作用効果について説明する。図１の車両用計器１の表示板３は水平方向に延在し、図１の真上方向から指針７の動きが車両運転者によって読み取られる。
【００４０】
図２の光源８の発光により、表示板３が透過照明される。メータ透明カバー２の第１凸部２ａと第２凸部２ｃの間に凹部２ｂを有し、この凹部２ｂの裏面に、光源８からの光を反射する複数の反射用傾斜面２０ａを持つ凹凸部２０を有するから、光源８からの光が凹凸部２０の複数の反射用傾斜面２０ａに反射してクリスタルガラスのように輝く。
【００４１】
このようにして、輝きを持ち、指標部１０の外周を取り巻く凹凸部２０からなる発光部を、メータ透明カバー２と一体に形成することができる。また、この凹凸部２０は、メータ透明カバー２の射出成型時に同時に成型されるから、部品点数を削減することができる。
【００４２】
また、指針７（図２では省略）が指し示す数字部等が描かれた指標部１０が、図１のようにアーチ形（円弧形）であり、メータ透明カバー２の凹部２ｂも指標部１０に沿ってアーチ形に形成されているから、指針７が指示する指標部１０の外周側に沿ってアーチ状に凹凸部２０が発光する。よって、指標部１０の外側がアーチ状に輝き、指針７を読み取るときの美感を向上させることができる。
【００４３】
表示板３を透過照明する光源８からの光を、凹凸部２０の多数の反射用傾斜面２０ａ（図３）でさまざまな方向に反射させ、強くクリスタルガラス状に発光させることができる。特に、凹凸部２０は、複数の三角形の突起を持つ形状であるから、傾斜方向が異なる複数の反射用傾斜面によって光源８からの光を種々の方向に反射することができ、強い輝きのある発光部を得ることができる。
【００４４】
（第２実施形態）
次に、本発明の第２実施形態について説明する。なお、以降の各実施形態においては、上述した第１実施形態と同一の構成要素には同一の符号を付して説明を省略し、異なる構成および特徴について説明する。図５は、本発明の第２実施形態を示す図１の矢印Ｚ２−Ｚ２線に相当する方向から見た車両用計器上部の断面拡大図である。
【００４５】
図５において、表示板３の指標部１０を覆う第１凸部２ａに凹凸部２０に隣接するメータ透明カバーの傾斜部分２ａ１を有する。このメータ透明カバーの傾斜部分２ａ１と表示板３との間の角度θが、１５度から４５度の範囲に設定されている。
【００４６】
これによれば、メータ透明カバーの傾斜部分２ａ１と表示板３との間の角度が１５度から４５度の範囲に設定され、傾斜が緩やかであるから、メータ透明カバーの傾斜部分２ａ１を介して表示板３上の指標部１０を視認しやすくすることができる。
【００４７】
つまり、メータ透明カバー２を矢印Ｙ５方向から見た場合に、表示板３上に印刷された指標部１０からの反射光がメータ透明カバー２によって屈折する度合いを低くし、視認性をよくすることができる。
【００４８】
（その他の実施形態）
本発明は上述した実施形態にのみ限定されるものではなく、次のように変形または拡張することができる。例えば、上述の第１実施形態では、メータ透明カバー２は、メータフード部１５ａだけに接合しているだけでなく、表示板３の表面に当接しているが、表示板３とメータ透明カバー２との間、つまり表示板３と凹凸部２０の先端の間には隙間があってもよい。
【００４９】
また、本発明の凹凸部２０は、成型により形成されたものであればよく、凹凸の形状は種々の形状が可能である。例えばルミネーチングと呼ばれる多数の平行した直線状の凹凸部であってもよいし、多数の平行した蛇行状の凹凸部であってもよい。
【００５０】
また、多数の平行した直線状の凹凸部同士がクロスする形状であってもよい。なお、いずれにおいても断面形状は三角形状または台形状として、反射用傾斜面が対向して形成されていることが望ましい。
【００５１】
更に、上記実施形態では、指針によって指示される目盛および数字からなる指標部を印刷により表示板に形成して表示部を構成しているが、本発明の表示部は、指針と指標部が画像として表示される液晶表示部や、指針がなく目盛のみが並んでいるバーグラフ表示の液晶表示部や、指針も目盛もないデジタル表示部であっても良い。また、凹凸部２０の全体形状は、アーチ形に限らず、矩形のバー形であっても良い。
【符号の説明】
【００５２】
１  車両用計器
２  メータ透明カバー
２ａ  第１凸部
２ａ１  メータ透明カバーの傾斜部分
２ｂ  凹部
２ｃ  第２凸部
３  表示板
７  指針
８  光源
１０  指標部
１５  メータケース
１５ａ  メータフード部
２０  凹凸部
２０ａ  反射用傾斜面
２０ｂ  突起先端
【図１】
2012198129.tif 000003
【図２】
2012198129.tif 000004
【図３】
2012198129.tif 000005
【図４】
2012198129.tif 000006
【図５】
2012198129.tif 000007
【図６】
2012198129.tif 000008